(57)【要約】【課題】使用しない状態にあるとき、消費電力を少なく抑えることが出来る撮影機器を提供すること。【解決手段】カメラ１０のボディ１１にクリップ１２を設ける。このクリップ１２は、ボディ１１の一方の側面（図１の左側）から正面側にかけて折り返すように（略Ｕ字に）延びる。クリップ１１の先端部（自由端部）に収納センサ１３を配置する。クリップ１２とボディ１１との間にポケット等の一部１４が挟まると、収納センサ１３がカメラ１０の収納状態を検出し、電源オン状態から節電モードに切り替え、ＬＣＤモニタ２２のバックライトを消灯する。【選択図】      図８
2008005261.tif 000002
【特許請求の範囲】
【請求項１】
撮影可能な撮影モードと前記撮影モードよりも消費電力の少ない節電モードとを切替えるモード切替部と、
機器の収納状態を検出する収納センサと、
前記収納センサが収納されていることを検出したときに前記モード切替部を前記節電モードに切替るモード切替制御部と、
を有することを特徴とする撮影機器。
【請求項２】
請求項１に記載の撮影機器において、
前記撮影機器の周囲の明るさを検出する明るさセンサを更に装備し、
前記モード切替制御部は、前記明るさセンサで検出した明るさが減少し且つ前記収納センサが前記撮影機器の収納状態を検出したとき、前記モード切替部を前記節電モードに切り替えることを特徴とする撮影機器。
【請求項３】
請求項１に記載の撮影機器において、
前記撮影機器の自重を検出する自重センサを更に装備し、
前記モード切替制御部は、前記収納センサが前記撮影機器の収納状態を検出せず且つ前記自重センサが前記撮影機器の自重を検出したとき、前記モード切替部を前記節電モードに切り替えることを特徴とする撮影機器。
【請求項４】
請求項１に記載の撮影機器において、
前記撮影機器の所定部位が触れられたことを検出する触れセンサを更に装備し、
前記モード切替制御部は、前記収納センサが前記撮影機器の収納状態を検出せず且つ前記触れセンサが前記撮影機器の所定部位への接触を検出しないとき、前記モード切替部を前記節電モードに切り替えることを特徴とする撮影機器。
【請求項５】
請求項１に記載の撮影機器において、
前記撮影機器の周囲の明るさを検出する明るさセンサと、前記撮影機器の自重を検出する自重センサとを更に装備し、
前記モード切替制御部は、前記明るさセンサの出力が減少し、前記収納センサが前記撮影機器の収納状態を検出せず且つ前記自重センサが前記撮影機器の自重を検出したとき、前記モード切替部を前記節電モードに切り替えることを特徴とする撮影機器。
【請求項６】
請求項１に記載の撮影機器において、
前記撮影機器の周囲の明るさを検出する明るさセンサと、前記撮影機器の所定部位が触れられたことを検出する触れセンサとを更に装備し、
前記モード切替制御部は、前記明るさセンサの出力が減少し、前記収納センサが前記撮影機器の収納状態を検出せず且つ前記触れセンサが前記撮影機器の所定部位への接触を検出しないとき、前記モード切替部を前記節電モードに切り替えることを特徴とする撮影機器。
【発明の詳細な説明】
【技術分野】
【０００１】
本発明は、節電モードへの切り替えを行うことが出来る撮影機器に関する。
【背景技術】
【０００２】
デジタルスチルカメラ等において、電源を入れて電源オン状態に維持して撮影モードに切り替えてから撮影操作には至らずに所定時間が経過すると、自動的に撮影モードから節電モードに切り替わって液晶ディスプレイのバックライト等を消灯するか、或いはパワーオフモードに切り替わって電源を切断するようにして、電源であるバッテリの消費を可及的に少なく抑えることが種々提案されている。
【０００３】
例えば、デジタルスチルカメラに角速度センサを装備し、この角速度センサの出力からカメラが使用状態にあるか未使用状態にあるかを判断し、バッテリを制御することが提案されている（特許文献１）。
【０００４】
このデジタルスチルカメラによれば、角速度センサからの出力が無い場合、カメラの移動がないと（カメラが任意の位置に固定されて放置されていると）判断してバッテリからの電力供給を遮断してパワーオフ状態にし、また角速度センサからの出力がある場合、カメラが移動中と（撮影中若しくは撮影準備中で使用者がカメラを保持していると）判断してバッテリからの電力供給を維持するようにしている。
【０００５】
【特許文献１】特開平１０−１７３９７０号公報
【発明の開示】
【発明が解決しようとする課題】
【０００６】
上述したカメラでは、例えば衣服のポケット中に収納した状態で歩行などする場合、角速度センサからの出力があり、カメラが移動中と判断され、カメラを使用していないのにバッテリからの電力供給が維持され、バッテリが無駄に消費されてしまう課題があった。
【０００７】
本発明は、上記事情に鑑みてなされたもので、使用していない状態にあるとき、これを確実に検出して消費電力を可及的に少なくすることが出来る撮影機器を提供することを目的とする。
【課題を解決するための手段】
【０００８】
上記目的を達成する本発明の請求項１に記載の撮影機器は、撮影可能な撮影モードと前記撮影モードよりも消費電力の少ない節電モードとを切替えるモード切替部と、機器の収納状態を検出する収納センサと、前記収納センサが収納されていることを検出したときに前記モード切替部を前記節電モードに切替るモード切替制御部とを有することを特徴とする。
【０００９】
前記撮影機器としては、例えば、デジタルスチルカメラ、デジタルビデオカメラ等の他に撮影機能を有した携帯電話などがあるが、これらに限定されるものではなく、広く撮影機能を有する機器が該当する。この撮影機器には、例えば、撮影機器を衣服のポケット或いはカバン等に収納した際に、これらポケットやカバン内で移動したり、抜け出たりしないようにするためにクリップを設けることが出来る。
【００１０】
前記節電モードは、例えば、撮影機器に装備された液晶表示部分のバックライトを消灯して、電力消費を抑える場合があるが、これに限定されるものではない。
【００１１】
前記収納センサは、例えば、前記撮影機器の本体（ボディ）や前記クリップに接触していることを検出して、前記撮影機器が収納状態にあることを示すレベルの信号を出力する場合（収納状態の検出）と、これら撮影機器や前記クリップには接触せず、空間を検出して、前記撮影機器が非収納状態にあることを示すレベルの信号を出力する場合の２通りレベルの信号を出力する（例えば図６を参照）。
【００１２】
請求項２に記載の撮影機器は、請求項１の撮影機器に、前記撮影機器の周囲の明るさを検出する明るさセンサを更に装備し、前記モード切替制御部は、前記明るさセンサで検出した明るさが減少し且つ前記収納センサが前記撮影機器の収納状態を検出したとき、前記モード切替部を前記節電モードに切り替えることを特徴とする。
【００１３】
前記明るさセンサは、例えば、撮影機器に装備された撮像素子（ＣＣＤ）を兼用することができ、撮影レンズを介してＣＣＤに入射する光の明るさから撮影機器の周囲の明るさを検出し、明るさに応じた信号を前記モード切替制御部に出力するが、これに限定されるものではない。例えば、撮影機器のボディに光センサを配置し、該光センサにより撮影機器の周囲の明るさを検出するようにしてもよい。
【００１４】
請求項３に記載の撮影機器は、請求項１の撮影機器に、前記撮影機器の自重を検出する自重センサを更に装備し、前記モード切替制御部は、前記収納センサが前記撮影機器の収納状態を検出せず且つ前記自重センサが前記撮影機器の自重を検出したとき、前記モード切替部を前記節電モードに切り替えることを特徴とする。
【００１５】
前記自重センサとしては、例えば、携帯用ストラップ（つり下げ紐）を利用して撮影機器の自重を検出するものが使用されるが、これに限定されるものではない。
【００１６】
請求項４に記載の撮影機器は、請求項１に記載の撮影機器に、前記撮影機器の所定部位が触れられたことを検出する触れセンサを更に装備し、前記モード切替制御部は、前記収納センサが前記撮影機器の収納状態を検出せず且つ前記触れセンサが前記撮影機器の所定部位への接触を検出しないとき、前記モード切替部を前記節電モードに切り替えることを特徴とする。
【００１７】
前記触れセンサとしては、例えば、所定部位への接触を検出するタッチセンサや光センサが使用されるが、これらに限定されるものではない。
【００１８】
請求項５に記載の撮影機器は、請求項１に記載の撮影機器に、前記撮影機器の周囲の明るさを検出する明るさセンサと、前記撮影機器の自重を検出する自重センサとを更に装備し、前記モード切替制御部は、前記明るさセンサの出力が減少し、前記収納センサが前記撮影機器の収納状態を検出せず且つ前記自重センサが前記撮影機器の自重を検出したとき、前記モード切替部を前記節電モードに切り替えることを特徴とする。
【００１９】
請求項６に記載の撮影機器は、請求項１に記載の撮影機器に、前記撮影機器の周囲の明るさを検出する明るさセンサと、前記撮影機器の所定部位が触れられたことを検出する触れセンサとを更に装備し、前記モード切替制御部は、前記明るさセンサの出力が減少し、前記収納センサが前記撮影機器の収納状態を検出せず且つ前記触れセンサが前記撮影機器の所定部位への接触を検出しないとき、前記モード切替部を前記節電モードに切り替えることを特徴とする。
【発明の効果】
【００２０】
本発明の撮影機器によれば、使用していない状態を確実に検出して節電モードに切り替え、消費電力を少なく抑えることが出来る。
【発明を実施するための最良の形態】
【００２１】
以下本発明の撮影機器の実施形態について図１乃至図１０を参照して説明する。
【００２２】
図１は本発明の撮影機器の一実施形態を示すデジタルスチルカメラ（以下カメラと略記する）の正面図である。このカメラ１０のボディ１１にはその一側面にクリップ１２が設けられる。このクリップ１２は、ボディ１１の一方の側面（図１の左側）から正面側にかけて折り返すように（略Ｕ字に）延びる。クリップ１１は、カメラ１０を衣服のポケット或いはカバン内に収納する際、ポケット内等で移動したり、抜け出たりしないように、ポケット等の一部をボディ１１との間で挟む。
【００２３】
クリップ１１の先端部（自由端部）或いはこの先端部と対向するボディ１１の外面（正面）部位には、収納センサ１３が配置される。図２ではクリップ１２の先端部内面に収納センサ１３を配置した場合を示し、また図３ではクリップ１２の先端部内面と対向するボディ１１の外面部位に収納センサ１３を配置した場合を示している。収納センサ１３の配置箇所については、これら図２、図３に示す場所に限定されるものではなく、カメラ１０の収納状態を確実に検出することが出来る場所ならばボディ１１の何処の部位に配置してもよい。
【００２４】
収納センサ１３として、本実施形態では、開閉スイッチタイプのタッチセンサを採用しており、クリップ１２の先端部内に配置する。図４及び図５はこの収納センサ１３の動作説明図である。図４はカメラ１０の非収納時における収納センサ１３の状態を示し、具体的には収納センサ１３を構成する可動接点片１３ａの一部がクリップ１２の内面から突出してボディ１１に接触する一方、クリップ１２内にある固定接点１３ｂと接触する（スイッチを閉じる）。図５は収納時における収納センサ１３の状態を示し、具体的にはクリップ１２とボディ１１との間にポケット等の一部１４が挟まると、この一部１４に可動接点片１３ａの突出した部分が乗り上げる一方、クリップ部１２内にある固定接点１３ｂから離れる（スイッチを開く）。図６は収納センサ１３から出力される信号のレベル変化を示しており、信号レベルの変化でカメラ１０が収納状態にあることを検出する。
【００２５】
収納センサ１３としては、前述した開閉スイッチタイプのタッチセンサの他に感圧タイプのものを使用してもよい。また、タッチセンサの他に、赤外線センサ、遮光型の光電センサであるＰＩ（Ｐｈｏｔ  Ｉｎｔｅｒｒｕｐｔｏｒ）や反射型の光電センサであるＰＲ（Ｐｈｏｔｏ  Ｒｅｆｌｅｃｔｏｒ）等を使用することが出来る。
【００２６】
なお、図１中、符号１５は撮影レンズ、１６はレリーズ釦、１７はファインダ窓、１８はストロボ発光部である。
【００２７】
図７はカメラ１０のブロック図である。図７中、符号２０はＣＰＵ（制御プロセッサ部）で、カメラ１０全体の制御を行う。ＣＰＵ２０には、収納センサ１３、撮像素子としてのＣＣＤ２１、ＬＣＤ（液晶表示）モニタ２２、内蔵ＨＤＤ（ハードディスク）２３、鏡筒ユニット２４、無線通信回路部２５、ストロボユニット２６、画像／音声部２７、記録メディア２８、操作キー部２９、電源（バッテリ）３０等がそれぞれ接続される。ＣＰＵ２０は、操作キー部２９から入力された指令に基づいてＬＣＤモニタ２２、鏡筒ユニット２４、無線通信回路部２９、ストロボユニット２６、画像／音声部２７、記録メディア２８、操作キー部２９、電源（バッテリ）３０等をそれぞれ制御する。
【００２８】
ＣＣＤ２１は、撮影時以外には撮影レンズ１５を介して入射する光からカメラ１０の周囲の明るさを検出する明るさセンサとして機能する。
【００２９】
ＣＰＵ２０は、電源３０を電源オン状態から、ＬＣＤモニタ２２のバックライトを消灯する節電モードや、電源３０を切断するパワーオフモード等に切り替える、モード切替部として機能し、また明るさセンサとしてのＣＣＤ２１、収納センサ１３からの出力（信号レベル）に基づいて、モード切替部を節電モード等に切替えるモード切替制御部として機能する。
【００３０】
図８は明るさセンサとしてのＣＣＤ２１と収納センサ１３からの信号とに基づいて電源３０を制御する、モード切替制御部（ＣＰＵ２０）の制御内容を示すフローチャートである。
【００３１】
ステップＳ１００では、操作キー部２９を押圧操作等して電源３０をオンした状態にする。このとき、カメラ１０周囲の明るさを検出したＣＣＤ２１からの出力を入力してＣＰＵ２０の一時記憶メモリにストアしておく。
【００３２】
ステップＳ１０１では、その時点でのカメラ１０周囲の明るさを検出したＣＣＤ２１からの出力を入力し、一時記憶メモリにストアしておいたＣＣＤ２１の出力と比較する。カメラ１０周囲の明るさが暗くなって、ＣＣＤ２１の出力が減少した場合（ＹＥＳの場合）、ステップＳ１０２に移行する。明るさに変化がなく、ＣＣＤ２１の出力が減少しない場合（ＮＯの場合）、ステップＳ１０４に移行する。
【００３３】
ステップＳ１０２では、収納センサ１３からの出力に基づいてカメラ１０が収納状態にあるか否かを判断し、カメラ１０が収納状態にあるときにはステップＳ１０３に移行し、カメラ１０が収納状態にないときにはステップＳ１０４に移行する。
【００３４】
ステップＳ１０３では、電源オン状態から節電モードに切り替え、ＬＣＤモニタ２２のバックライトを消灯するように電源３０を制御する。
【００３５】
ステップＳ１０４では、カメラ１０を撮影モードにしておく（電源オン状態を維持して何時でも撮影できる態勢にする）。
【００３６】
ステップＳ１０３から或いはステップＳ１０４からそれぞれステップＳ１０５に移行する。このステップＳ１０５では、カメラ１０の操作が無く、所定時間が経過したか否かを判断する。所定時間が経過していないとき（ＮＯのとき）、ステップＳ１０３の節電モードから移行した場合にあっては、ステップＳ１０１に戻り、ステップＳ１０２、１０３、１０５を繰り返して節電モードを維持し、ステップＳ１０４から移行した場合にあってはステップＳ１０４に戻り、撮影モードを維持する。カメラ１０の操作が無いまま所定時間が経過したとき（ＹＥＳのとき）、ステップＳ１０６に移行して電源オフモードに切り替え、メモリなどに微少電流を流す他は基本的に全ての電力供給を遮断するように電源３０を制御する。
【００３７】
図８に示すように、明るさセンサとしてのＣＣＤ２１からの信号と収納センサ１３からの信号（信号レベル）とに基づいて電源３０を制御するので、カメラ１０の収納状態（カメラ１０を使用しない状態）を確実に検出して節電モードに移行することができる。したがって、角速度センサからの出力のみに基づいて電源制御するときのように衣服のポケットやカバン内にカメラ１０を入れて移動する場合に撮影モードと誤検出して電源３０をオン状態に維持することがなく、節電効果がある。また、明るさセンサからの出力のみに基づいて電源制御するときのようにカメラ１０の周囲の明るさが暗くなったとしてもこれから直ちに収納状態であると判断して節電モードに移行することがなく、収納センサ１３がカメラ１０の収納状態を検出しない限り電源オン状態を維持して撮影モードにしておき、直ちに撮影動作に移行することが出来る。
【００３８】
なお、図８において、明るさセンサとしてのＣＣＤ２１からの信号を使用せず、収納センサ１３からの信号のみに基づいて電源３０を制御することもでき、この場合、ステップＳ１０１を省略するだけで、他は前述したようにしてカメラ１０の収納状態を検出して節電モードに移行することができる。
【００３９】
ＣＰＵ２０には、前述した収納センサ１３の他に、更にカメラ１０の自重を検出する自重センサ３２、又はボディ１１のグリップ部（ボディ１１の前面、左右側部の上下面などで、撮影時に撮影者の手や指によって把持されたり、触れられたりする部位）が触られたことを検出する触れセンサとしてのタッチセンサ３３を接続することが出来る。この場合、ＣＰＵ２０は、電源３０を電源オン状態から、ＬＣＤモニタ２２のバックライトを消灯する節電モードや、電源３０を切断するパワーオフモード等に切り替える、モード切替部として機能し、また明るさセンサとしてのＣＣＤ２１、収納センサ１３からの出力及び自重センサ３２（又はタッチセンサ３３）からの出力に基づいて、モード切替部を節電モード等に切替るモード切替制御部として機能する。
【００４０】
自重センサ３２については、その詳細を図示しないが、例えば、携帯用ストラップが取り付けられるボディ１１の取付部に該携帯用ストラップの一端が連結されたレバーを有する開閉スイッチを設けて構成される。携帯用ストラップによってカメラ１０をつり下げたとき、カメラ１０の自重が携帯用ストラップに作用して緊張状態となり、該携帯用ストラップによりレバーが引っ張られてスイッチが閉じ、撮影機器の自重を検出するようになっている。
【００４１】
タッチセンサ３３は、例えば、手や指などが触れると静電容量が変化してこれを検出するもので、ボディ１１のグリップ部に配置され、該グリップ部が触れられたことを検出する。触れセンサとしては、このタッチセンサ３３の他に光センサを使用してもよい。この光センサは、例えば、ボディ１１のグリップ部に配置され、該グリップ部が手や指が触れて光が遮断されると、その出力が変化することにより、グリップ部が触れられたことを検出する。
【００４２】
図９は明るさセンサとしてのＣＣＤ２１、収納センサ１３からの信号及び自重センサ３２からの信号に基づいて電源３０を制御する、モード切替制御部（ＣＰＵ２０）の制御内容を示すフローチャートである。
【００４３】
ステップＳ２０４を除いた他のステップＳ２００，Ｓ２０１、Ｓ２０２、Ｓ２０３、Ｓ２０５、Ｓ２０６、Ｓ２０７については、前述したステップＳ１００、Ｓ１０１、Ｓ１０２、Ｓ１０３、Ｓ１０５と略同じ内容なので、その詳細な説明を省略する。
【００４４】
ステップＳ２０１で、明るさに変化がなく、ＣＣＤ２１の出力が減少しない場合（ＮＯの場合）、ステップＳ２０４に移行する。また、ステップＳ２０２で、カメラ１０が収納状態にないときにもステップＳ２０４に移行する。
【００４５】
ステップＳ２０４では、自重センサ３２がカメラ１０の自重を検出したか否かが判断され、検出された場合（カメラ１０がポケットやカバンから取り出されて収納状態ではないが、携帯用ストラップでつり下げられていて、不使用時：ＹＥＳの場合）には、カメラ１０が収納状態にある場合（ステップＳ２０２でＹＥＳの場合）と同様にステップＳ２０３に移行して節電モードに切り替えられる。検出されない場合（ＮＯの場合）、ステップＳ２０５に移行してカメラ１０を撮影モードにしておく。
【００４６】
ステップＳ２０３から或いはステップＳ２０５からそれぞれステップＳ２０６に移行する。このステップＳ２０６でカメラ１０の操作が無いまま所定時間が経過したか否かを判断し、所定時間が経過していないとき（ＮＯのとき）、ステップＳ２０３の節電モードから移行した場合にあっては、ステップＳ２０１に戻り、ステップＳ２０２、Ｓ２０３、Ｓ２０６を繰り返して節電モードを維持し、ステップＳ２０５から移行した場合にあってはステップＳ２０５に戻り、撮影モードを維持する。カメラ操作が無く、所定時間を経過した場合にはステップＳ２０７に移行して電源オフモードに切り替える。
【００４７】
図９に示すように、明るさセンサとしてのＣＣＤ２１からの信号、収納センサ１３からの信号及び自重センサ３２からの信号とに基づいて電源３０を制御する場合にあっては、カメラ１０の収納状態を確実に検出して節電モードに移行することができる他に、ポケットやカバンからカメラ１０を取り出して携帯用ストラップを介して持ち運んでいる場合にあっても節電モードに移行することができる。したがって、図８に示す場合と同じ効果が得られる他に、携帯用ストラップを介して持ち運んでいる状態からポケットやカバンに戻した場合にも節電モードを維持でき、自重センサ３２の出力のみに基づいて電源制御するときのように衣服のポケットやカバン内に戻すと撮影モードと誤検出して電源３０をオン状態に切り替わることがない。
【００４８】
なお、図９において、明るさセンサとしてのＣＣＤ２１からの信号を使用せず、収納センサ１３からの信号と自重センサ３２からの信号とに基づいて電源３０を制御することもでき、この場合、ステップＳ２０１を省略するだけで、他は前述したようにしてカメラ１０の収納状態或いはカメラ１０の自重を検出して節電モードに移行することができる。
【００４９】
図１０は明るさセンサとしてのＣＣＤ２１、収納センサ１３からの信号及びタッチセンサ３３からの信号とに基づいて電源３０を制御する、モード切替制御部（ＣＰＵ２０）の制御内容を示すフローチャートである。
【００５０】
ステップＳ３０４を除いた他のステップＳ３００、Ｓ３０１、Ｓ３０２、Ｓ３０３、Ｓ３０５、Ｓ３０６、Ｓ３０７については、前述したステップＳ１００、Ｓ１０１、Ｓ１０２、Ｓ１０３、Ｓ１０５、Ｓ１０６と略同じ内容なので、その詳細な説明を省略する。
【００５１】
ステップＳ３０１で、明るさに変化がなく、ＣＣＤ２１の出力が減少しない場合（ＮＯの場合）、ステップＳ３０４に移行する。また、ステップＳ３０２で、カメラ１０が収納状態にないときにもステップＳ３０４に移行する。
【００５２】
ステップＳ３０４では、ボディ１１のグリップ部への接触があったか否かが判断され、タッチセンサ３３が触れを検出しない場合（カメラ１０がポケットやカバンから取り出されて収納状態ではないが、ボディ１１のグリップ部がタッチされず、カメラ１０が撮影の姿勢にないとき：ＮＯの場合）には、カメラ１０が収納状態にある場合（ステップＳ３０２でＹＥＳの場合）と同様にステップＳ３０３に移行して節電モードに切り替えられる。タッチセンサ３３が触れを検出した場合（ＹＥＳの場合）、ボディ１１のグリップ部が把持されるなどカメラ１０が撮影の姿勢にあることが想定されるので、ステップＳ３０５に移行して電源オン状態を維持し、カメラ１０を撮影モードにしておく。
【００５３】
ステップＳ３０３から或いはステップＳ３０５からそれぞれステップＳ３０６に移行した後、このステップＳ３０６でカメラ１０の操作が無いまま所定時間が経過したか否かを判断し、所定時間が経過していないとき（ＮＯのとき）、ステップＳ３０３の節電モードから移行した場合にあっては、ステップＳ３０１に戻り、ステップＳ３０２、Ｓ３０３、Ｓ３０６を繰り返して節電モードを維持し、ステップＳ３０５から移行した場合にあってはステップＳ３０５に戻り、撮影モードを維持する。カメラ操作が無く、所定時間を経過した場合にはステップＳ３０７に移行して電源オフモードに切り替える。
【００５４】
図１０に示すように、明るさセンサとしてのＣＣＤ２１からの信号、収納センサ１３からの信号及びタッチセンサ３３からの信号とに基づいて電源３０を制御する場合にあっては、カメラ１０の収納状態を確実に検出して節電モードに移行することができる他に、ポケットやカバンからカメラ１０を取り出してもカメラ１０が撮影の姿勢にないときにも節電モードに移行することができる。したがって、図８に示す場合と同じ効果が得られる。また、カメラ１０の周囲の明るさが減少したとき（例えば室内の照明を消したときや昼間であっても曇って薄暗いとき）にもタッチセンサ３３がボディ１１の触れを検出している限りは節電モードや電源オフモードとなることがなく、電源オン状態が維持され、撮影モードが維持され、直ぐに撮影動作に入ることが出来る。
【００５５】
なお、図１０において、明るさセンサとしてのＣＣＤ２１からの信号を使用せず、収納センサ１３からの信号とタッチセンサ３３からの信号とに基づいて電源３０を制御することもでき、この場合、ステップＳ３０１を省略するだけで、他は前述したようにしてカメラ１０の収納状態或いはボディ１１のグリップ部へのタッチを検出して節電モードに移行することができる。
【図面の簡単な説明】
【００５６】
【図１】本発明の撮影機器（デジタルスチルカメラ）の一実施形態を示す正面図である。
【図２】図１の撮影機器の収納センサ部分の一実施形態を示す拡大部分底面図である。
【図３】図１の撮影機器の収納センサ部分の別の実施形態を示す拡大部分底面図である。
【図４】非収納時における収納センサ部分の説明図である。
【図５】収納時における収納センサ部分の説明図である。
【図６】収納センサの出力の変化を説明するグラフである。
【図７】図１の撮影機器のブロック図である。
【図８】図１の撮影機器のモード切替制御部の制御内容を示すフローチャートである。
【図９】図１の撮影機器のモード切替制御部の制御内容を示す別のフローチャートである。
【図１０】図１の撮影機器のモード切替制御部の制御内容を示す更に別のフローチャートである。
【符号の説明】
【００５７】
１０        カメラ  
１１        ボディ
１３        収納センサ
２０        ＣＰＵ（モード切替部、モード切替制御部）
２１        ＣＣＤ（明るさセンサ）
３０        電源
３２        自重センサ
３３        タッチセンサ
【図１】
2008005261.tif 000003
【図２】
2008005261.tif 000004
【図３】
2008005261.tif 000005
【図４】
2008005261.tif 000006
【図５】
2008005261.tif 000007
【図６】
2008005261.tif 000008
【図７】
2008005261.tif 000009
【図８】
2008005261.tif 000010
【図９】
2008005261.tif 000011
【図１０】
2008005261.tif 000012